(57)【要約】【課題】  ポータブルコンピュータの収納装置の提供。【解決手段】  ポータブルコンピュータがベース上に平らに当接するよう設けられ、ポータブルコンピュータの後側辺の位置決め孔がベース後側縁のストッパ凸板の位置決め凸縁内に嵌合し、且つベース前側縁の回転片が上向きに回転して起き上がり、並びにその係合柱がポータブルコンピュータ前側辺の係合孔内に係合し、ポータブルコンピュータとベースの間が固定される。これにより、ポータブルコンピュータを簡単にベース上に置くだけでなく、簡単な位置決め構造により固定でき、ポータブルコンピュータとベースの間の携帯の便利性が増し並びに収納整理が容易とされている。【選択図】        図２
2005182733.tif 000002
【特許請求の範囲】
【請求項１】
ベースとポータブルコンピュータを具え、
該ベースは上表面、前側縁、後側縁、左側縁、右側縁を具え、その上表面の後側縁部分が上向きに延伸されて少なくとも一つのストッパ凸板が形成され、この少なくとも一つのストッパ凸板に位置決め凸縁が凸設され、この位置決め凸縁がベースの前側縁方向に向けて横向きに延伸され、該前側縁に回転片が枢設され、この回転片が上向きにベースの上表面に向けて回転して起こされ、並びに回転片の内縁に少なくとも一つの係合柱が凸設され、この少なくとも一つの係合柱がベースの上表面より高く突出し、
該ポータブルコンピュータはディスプレイ、前側辺、後側辺を具え、該後側辺に少なくとも一つの位置決め孔が凹設され、この少なくとも一つの位置決め孔が上述のベースの少なくとも一つのストッパ凸板の位置決め凸縁に対応し、且つポータブルコンピュータの前側辺に少なくとも一つの係合孔が開設され、この少なくとも一つの係合孔がベースの回転片の少なくとも一つの係合柱に対応し、
該ポータブルコンピュータが平らにベースの上表面の上に置かれ、ポータブルコンピュータの少なくとも一つの位置決め孔がベースの少なくとも一つのストッパ凸板の位置決め凸縁内に嵌合し、またベースの回転片が上向きに回転して起き上がり、並びにその少なくとも一つの係合柱がポータブルコンピュータの少なくとも一つの係合孔内に係合することを特徴とする、ポータブルコンピュータの収納装置。
【請求項２】
請求項１記載のポータブルコンピュータの収納装置において、少なくとも一つのストッパ凸板の数量が二つとされ、それが前記上表面の後側縁の二端位置に形成され、且つ少なくとも一つの位置決め孔の数量が二つとされて二つのストッパ凸板の位置決め凸縁内に対応し嵌合されることを特徴とする、ポータブルコンピュータの収納装置。
【請求項３】
請求項２記載のポータブルコンピュータの収納装置において、二つのストッパ凸板がＬ形を呈し並びにそれぞれ後側縁より左側縁及び右側縁に向けて延伸されたことを特徴とする、ポータブルコンピュータの収納装置。
【請求項４】
請求項１記載のポータブルコンピュータの収納装置において、ベースの前側縁に凹溝が形成されて回転片が該凹溝内に枢設されたことを特徴とする、ポータブルコンピュータの収納装置。
【請求項５】
請求項１記載のポータブルコンピュータの収納装置において、ベースの上表面にキーボードセットが組み付けられたことを特徴とする、ポータブルコンピュータの収納装置。
【請求項６】
請求項１記載のポータブルコンピュータの収納装置において、ポータブルコンピュータがタブレットＰＣとされたことを特徴とする、ポータブルコンピュータの収納装置。
【発明の詳細な説明】
【技術分野】
【０００１】
本発明は一種のポータブルコンピュータの収納装置に係り、特にポータブルコンピュータとベースとの間の収納に適用され、特にタブレットＰＣとベースの間に適用される収納装置に関する。
【背景技術】
【０００２】
現在、タブレットＰＣ等のポータブルコンピュータは往々にしてベースと組み合わせて使用され、且つベースにはキーボードセットが組み付けられ、使用者がタブレットＰＣに直接タッチペンで入力するほか、キーボードセットによる入力操作が行なえるものとされ、これにより一種の両用型のポータブルコンピュータが形成される。
【０００３】
上述のタブレットＰＣ等のポータブルコンピュータの主要な目的は携帯に便利で、いつでもどこでも使用できることである。しかし、上述のポータブルコンピュータとベースの間には連結構造がなく、即ち携帯過程で、ポータブルコンピュータとベースが分離された状態となり、この状況で、携帯使用の不便が形成され、また収納、整理時に不都合が生じやすい。
【発明の開示】
【発明が解決しようとする課題】
【０００４】
本発明の主要な目的は、一種のポータブルコンピュータの収納装置を提供し、ポータブルコンピュータとベースの間の携帯の便利性を増し、且つ収納、整理に便利とすることにある。
【課題を解決するための手段】
【０００５】
請求項１の発明は、ベースとポータブルコンピュータを具え、
該ベースは上表面、前側縁、後側縁、左側縁、右側縁を具え、その上表面の後側縁部分が上向きに延伸されて少なくとも一つのストッパ凸板が形成され、この少なくとも一つのストッパ凸板に位置決め凸縁が凸設され、この位置決め凸縁がベースの前側縁方向に向けて横向きに延伸され、該前側縁に回転片が枢設され、この回転片が上向きにベースの上表面に向けて回転して起こされ、並びに回転片の内縁に少なくとも一つの係合柱が凸設され、この少なくとも一つの係合柱がベースの上表面より高く突出し、
該ポータブルコンピュータはディスプレイ、前側辺、後側辺を具え、該後側辺に少なくとも一つの位置決め孔が凹設され、この少なくとも一つの位置決め孔が上述のベースの少なくとも一つのストッパ凸板の位置決め凸縁に対応し、且つポータブルコンピュータの前側辺に少なくとも一つの係合孔が開設され、この少なくとも一つの係合孔がベースの回転片の少なくとも一つの係合柱に対応し、
該ポータブルコンピュータが平らにベースの上表面の上に置かれ、ポータブルコンピュータの少なくとも一つの位置決め孔がベースの少なくとも一つのストッパ凸板の位置決め凸縁内に嵌合し、またベースの回転片が上向きに回転して起き上がり、並びにその少なくとも一つの係合柱がポータブルコンピュータの少なくとも一つの係合孔内に係合することを特徴とする、ポータブルコンピュータの収納装置としている。
請求項２の発明は、請求項１記載のポータブルコンピュータの収納装置において、少なくとも一つのストッパ凸板の数量が二つとされ、それが前記上表面の後側縁の二端位置に形成され、且つ少なくとも一つの位置決め孔の数量が二つとされて二つのストッパ凸板の位置決め凸縁内に対応し嵌合されることを特徴とする、ポータブルコンピュータの収納装置としている。
請求項３の発明は、請求項２記載のポータブルコンピュータの収納装置において、二つのストッパ凸板がＬ形を呈し並びにそれぞれ後側縁より左側縁及び右側縁に向けて延伸されたことを特徴とする、ポータブルコンピュータの収納装置としている。
請求項４の発明は、請求項１記載のポータブルコンピュータの収納装置において、ベースの前側縁に凹溝が形成されて回転片が該凹溝内に枢設されたことを特徴とする、ポータブルコンピュータの収納装置としている。
請求項５の発明は、請求項１記載のポータブルコンピュータの収納装置において、ベースの上表面にキーボードセットが組み付けられたことを特徴とする、ポータブルコンピュータの収納装置としている。
請求項６の発明は、請求項１記載のポータブルコンピュータの収納装置において、ポータブルコンピュータがタブレットＰＣとされたことを特徴とする、ポータブルコンピュータの収納装置としている。
【発明の効果】
【０００６】
本発明によると、収納時には、ポータブルコンピュータが平らにベースの上表面の上に置かれ、この時、ポータブルコンピュータの少なくとも一つの位置決め孔がベースの少なくとも一つのストッパ凸板の位置決め凸縁内に嵌合し、またベースの回転片が上向きに回転して起き上がり、並びにその少なくとも一つの係合柱がポータブルコンピュータの少なくとも一つの係合孔内に係合し、こうしてポータブルコンピュータとベースの間が固定される。これにより、ポータブルコンピュータが簡単にベースの上に置かれるだけでなく、簡単な位置決め構造によりポータブルコンピュータとベースの間に非常に強固な固定が形成され、ゆえに有効にポータブルコンピュータとベースの間の携帯の便利性が増され、並びに収納、整理に便利とされている。
【発明を実施するための最良の形態】
【０００７】
本発明のポータブルコンピュータの収納装置は、ベースとポータブルコンピュータを具えている。そのうち、ベースは上表面、前側縁、後側縁、左側縁、右側縁を具え、その上表面の後側縁部分が上向きに延伸されて少なくとも一つのストッパ凸板が形成され、この少なくとも一つのストッパ凸板に位置決め凸縁が凸設され、この位置決め凸縁がベースの前側縁方向に向けて横向きに延伸され、別に前側縁に回転片が枢設され、この回転片が上向きにベースの上表面に向けて回転して起こされ、並びに回転片の内縁に少なくとも一つの係合柱が凸設され、この少なくとも一つの係合柱がベースの上表面より高く突出する。
【０００８】
このほか、ポータブルコンピュータはディスプレイ、前側辺、後側辺を具え、そのうち、後側辺に少なくとも一つの位置決め孔が凹設され、この少なくとも一つの位置決め孔が上述のベースの少なくとも一つのストッパ凸板の位置決め凸縁に対応し、且つポータブルコンピュータの前側辺に少なくとも一つの係合孔が開設され、この少なくとも一つの係合孔がベースの回転片の少なくとも一つの係合柱に対応する。
【実施例１】
【０００９】
図１は本発明の立体図、図２は本発明の別の立体図である。本発明のポータブルコンピュータの収納装置は、ベース１とポータブルコンピュータ２を具えている。そのうち、ベース１は上表面１０、前側縁１１、後側縁１２、左側縁１３、右側縁１４を具え、その上表面１０にキーボードセット１８が組み付けられ、且つ上表面１０の後側縁１２部分の二端位置に上向きに延伸された少なくとも一つのストッパ凸板１５が形成され、この少なくとも一つのストッパ凸板１５はＬ形を呈し並びにベース１の後側縁１２よりベース１の左側縁１３及び右側縁１４の方向に向けて延伸され、且つこの二つのストッパ凸板１５にベース１の前側縁１１の方向に横向きに延伸された位置決め凸縁１５１が凸設されている。
【００１０】
このほか、ベース１の前側縁１１に凹溝１１０が凹設され、且つこの凹溝１１０内に回転片１７が枢設され、この回転片１７は上向きにベース１の上表面１０に向けて回転して起こされ、並びに更に前向きに回されて凹溝１１０内に収容されうる。また、回転片１７の内縁に二つの係合柱１７１が凸設され、回転片１７が上向きに起こされる時、その二つの係合柱１７１はベース１の上表面１０より高く突出する。
【００１１】
また図中のポータブルコンピュータ２は本実施例ではタブレットＰＣとされ、それはディスプレイ２０、前側辺２１、及び後側辺２２を具えている。そのうち、後側辺２２の二端にそれぞれ位置決め孔２２１が凹設され、この二つの位置決め孔２２１が上述のベース１の後側縁１２の二つのストッパ凸板１５の位置決め凸縁１５１に対応する。このほか、ポータブルコンピュータ２の前側辺２１に二つの係合孔２１１が開設され、この二つの係合孔２１１がベース１の前側縁１１の回転片１７の二つの係合柱１７１に対応する。
【００１２】
図１、２及び図３の本発明の回転片の作動前の表示図を参照されたい。収納時には、上述のポータブルコンピュータ２のディスプレイ２０面をベース１の上表面１０の方向に向け、ポータブルコンピュータ２を先ず僅かに傾斜させた後に、更にベース１の上表面１０の上に平らに置く。この時、ポータブルコンピュータ２の後側辺２２の二つの位置決め孔２２１はベース１の後側縁１２の二つのストッパ凸板１５の位置決め凸縁１５１内に嵌合する。その後、さらにベース１の回転片１７を上向きに回して起こし、その二つの係合柱１７１をポータブルコンピュータ２の前側辺２１の二つの係合孔２１１内に係合させ、これによりポータブルコンピュータ２とベース１の間に固定を形成する。これにより、ポータブルコンピュータ２を簡単にベース１の上に置くだけでなく、簡単な位置決め構造によりポータブルコンピュータ２とベース１の間に非常に強固な固定を形成することができ、ゆえに有効にポータブルコンピュータとベースの間の携帯の便利性が増され、並びに収納、整理に便利とされる。
【００１３】
図１、２を再度参照されたい。そのうち、ベース１の上表面１０の前側縁１１の二端位置に別にそれぞれ上向きに延伸されたストッパ凸板１５が設けられ、それはＬ形を呈し並びにベース１の前側縁１１よりベース１の左側縁１３及び右側縁１４の方向に延伸され、これによりベース１の四隅にいずれもストッパ凸板１５が形成され、ポータブルコンピュータ２を平らにベース１の上表面１０に置く時、その位置決め性と強固性が増される。
【００１４】
このほか、ポータブルコンピュータ２の後側辺２２の位置決め孔２２１、及びポータブルコンピュータ２の前側辺２１の係合孔２１１がポータブルコンピュータ２の肉厚の中間位置部分に形成され、これによりポータブルコンピュータ２がそのディスプレイ２０面がベース１の上表面１０に向くよう平らにベース１の上に置かれるだけでなく、ポータブルコンピュータ２がそのディスプレイ２０面がベース１の上表面１０と背向するようベース１の上に平らに置かれ得るるものとされる。
【００１５】
以上の実施例は本発明の請求範囲を限定するものではなく、本発明に基づきなしうる細部の修飾或いは改変は、いずれも本発明の請求範囲に属するものとする。
【図面の簡単な説明】
【００１６】
【図１】本発明の立体図である。
【図２】本発明の別の立体図である。
【図３】本発明の回転片の作動前の表示図である。
【図４】本発明の回転片の作動後の表示図である。
【符号の説明】
【００１７】
１  ベース                １０  上表面              １１  前側縁
１１０  凹溝              １２  後側縁              １３  左側縁
１４  右側縁              １５  ストッパ凸板        １５１  位置決め凸縁
１７  回転片              １７１  係合柱            １８  キーボードセット
２  ポータブルコンピュータ    ２０  ディスプレイ    ２１  前側辺
２１１  係合孔                ２２  後側辺          ２２１  位置決め孔
【図１】
2005182733.tif 000003
【図２】
2005182733.tif 000004
【図３】
2005182733.tif 000005
【図４】
2005182733.tif 000006